(57)【要約】【課題】本発明の実施形態は、ヘテロジニアスネットワークにおける電力適応方法を提供する。【解決手段】本方法では、ピコ基地局が、カバレッジ内の複数のユーザ装置（ＵＥ）によって報告される、サービス基地局と隣接基地局のリファレンス信号受信電力を受信し、ピコ基地局が、ＵＥのデータ受信電力の平均値と、マクロ基地局によって送信されるリファレンス信号を受信するＵＥのリファレンス信号受信電力の平均値とをリファレンス信号受信電力に従って算出し、ピコ基地局が、マクロ基地局に上述の算出結果を送信する。マクロ基地局は、マクロ基地局によってピコ基地局に対して設定されるＡＢＳにおけるユニキャスト物理チャネルの送信電力を決定する。これにより、マクロ基地局は、マクロ基地局によってピコ基地局に対して設定されるＡＢＳ（almost blank subframe）におけるユニキャスト物理チャネルの送信電力を決定する。本発明の実施形態の方法及び装置により、システムのスループットが最適化され、ピコ基地局のＵＥに対するマクロ基地局の下り送信の干渉が緩和される。【選択図】図２
2015513281.tif 000002
【特許請求の範囲】
【請求項１】
ピコ基地局が、前記ピコ基地局のカバレッジ内の複数のＵＥによって報告される測定値を受信し、前記測定値は、前記ピコ基地局によって送信されるリファレンス信号を受信する各ＵＥのリファレンス信号受信電力と、ピコ基地局をＡＢＳ（almost blank subframe）で設定するマクロ基地局によって送信されるリファレンス信号を受信する各ＵＥのリファレンス信号受信電力とを含み、
前記ピコ基地局が、前記ピコ基地局によって送信されるリファレンス信号を受信する各ＵＥの前記リファレンス信号受信電力に従って、前記ＵＥのデータ受信電力の平均値を算出し、前記マクロ基地局によって送信される前記リファレンス信号を受信する各ＵＥのリファレンス信号受信電力に従って、マクロ基地局によって送信されるリファレンス信号を受信するＵＥの前記リファレンス信号受信電力の平均値を算出し、
前記ピコ基地局が、前記マクロ基地局に、前記ＵＥのデータ受信電力の前記平均値と、前記マクロ基地局によって送信されるリファレンス信号を受信する前記ＵＥのリファレンス信号受信電力の前記平均値と、を送信し、前記マクロ基地局は、前記マクロ基地局によって前記ピコ基地局に対して設定される前記ＡＢＳにおけるユニキャスト物理チャネルの送信電力を決定する、
ことを特徴とするヘテロジニアスネットワークにおける電力適応方法。
【請求項２】
前記ピコ基地局が前記ＵＥのデータ受信電力の前記平均値を算出することが、
前記ピコ基地局によって送信されるリファレンス信号を受信する各ＵＥの前記リファレンス信号受信電力に従って、前記ピコ基地局によって送信されるリファレンス信号を受信する前記ＵＥの前記リファレンス信号受信電力の平均値を算出し、
ピコ基地局によって送信されるリファレンス信号を受信する前記ＵＥのリファレンス信号受信電力の前記平均値と、ピコ基地局の共通リファレンス信号の送信電力とに従って、前記ＵＥの平均パスロスを算出し、
前記ＵＥの前記平均パスロスと前記ＵＥのデータ送信電力の前記平均値とに従って、前記ＵＥのデータ受信電力の平均値を算出する、
ことを含む、請求項１に記載の電力適応方法。
【請求項３】
マクロ基地局が、ピコ基地局によって送信されるピコ基地局のカバレッジ内の複数のＵＥのデータ受信電力の平均値と、マクロ基地局によって送信されるリファレンス信号を受信する前記ＵＥのリファレンス信号受信電力の平均値と、を受信し、
前記マクロ基地局によって送信される前記リファレンス信号を受信する前記ＵＥのリファレンス信号受信電力の前記平均値と、前記マクロ基地局の共通リファレンス信号の送信電力とに従って、前記マクロ基地局から前記ピコ基地局のエッジＵＥまでの平均パスロスを算出し、
前記マクロ基地局から前記ピコ基地局のエッジＵＥまでの前記平均パスロスと、前記ＵＥのデータ受信電力の前記平均値とに従って、前記ピコ基地局に対して設定されるＡＢＳ（almost blank subframe）におけるユニキャスト物理チャネルの送信電力を決定する、
ことを特徴とするヘテロジニアスネットワークにおける電力適応方法。
【請求項４】
前記ピコ基地局に対して設定されるＡＢＳ（almost blank subframe）におけるユニキャスト物理チャネルの送信電力を決定することは、
以下の式に従ってユニキャスト物理チャネルの最大送信電力を決定することを含む、
【数１】
2015513281.tif 000014
請求項３に記載の電力適応方法。
【請求項５】
ピコ基地局のカバレッジ内の複数のＵＥによって報告される測定値を受信するように構成される受信部であって、前記測定値は、前記ピコ基地局によって送信されるリファレンス信号を受信する各ＵＥのリファレンス信号受信電力と、前記ピコ基地局をＡＢＳ（almost blank subframe）で設定するマクロ基地局によって送信されるリファレンス信号を受信する各ＵＥのリファレンス信号受信電力と、を含む、受信部と、
前記ピコ基地局によって送信されるリファレンス信号を受信する各ＵＥの前記リファレンス信号受信電力に従って、前記ＵＥのデータ受信電力の平均値を算出するように構成され、前記マクロ基地局によって送信されるリファレンス信号を受信する各ＵＥの前記リファレンス信号受信電力に従って、前記マクロ基地局によって送信されるリファレンス信号を受信する前記ＵＥのリファレンス信号受信電力の平均値を算出するように構成される、算出部と、
前記ＵＥのデータ受信電力の前記平均値と、前記マクロ基地局によって送信されるリファレンス信号を受信する前記ＵＥのリファレンス信号受信電力の前記平均値と、を前記マクロ基地局に送信するように構成される送信部であって、前記マクロ基地局が、前記マクロ基地局によって前記ピコ基地局に対して設定されるＡＢＳにおけるユニキャスト物理チャネルの送信電力を決定するように構成される、送信部と、
を有することを特徴とするピコ基地局。
【請求項６】
前記算出部は、
前記ピコ基地局によって送信されるリファレンス信号を受信する各ＵＥの前記リファレンス信号受信電力に従って、前記ピコ基地局によって送信されるリファレンス信号を受信する前記ＵＥの前記リファレンス信号受信電力の平均値を算出するように構成される第１の算出モジュールと、
前記ピコ基地局によって送信されるリファレンス信号を受信する前記ＵＥのリファレンス信号受信電力の前記平均値と、前記ピコ基地局の共通リファレンス信号の送信電力とに従って、前記ＵＥの平均パスロスを算出するように構成される第２の算出モジュールと、
前記ＵＥの前記平均パスロスと前記ＵＥのデータ送信電力の前記平均値に従って、前記ＵＥのデータ受信電力の平均値を算出するように構成される第３の算出モジュールと、
を有する請求項５に記載のピコ基地局。
【請求項７】
ピコ基地局によって送信される、前記ピコ基地局のカバレッジ内の複数のＵＥのデータ受信電力の平均値と、マクロ基地局によって送信されるリファレンス信号を受信する前記ＵＥのリファレンス信号受信電力の平均値と、を受信するように構成される受信部と、
前記マクロ基地局によって送信されるリファレンス信号を受信する前記ＵＥの前記リファレンス信号受信電力の前記平均値と、前記マクロ基地局の共通リファレンス信号の送信電力とに従って、前記マクロ基地局から前記ピコ基地局のエッジＵＥまでの平均パスロスを算出するように構成される算出部と、
前記マクロ基地局から前記ピコ基地局の前記エッジＵＥまでの前記平均パスロスと、前記ＵＥの前記データ受信電力の前記平均値と、に従って、前記ピコ基地局に対して設定されるＡＢＳにおけるユニキャスト物理チャネルの下り送信電力を決定するように構成される決定部と、
を有することを特徴とするマクロ基地局。
【請求項８】
前記決定ユニットは、以下の式に従ってユニキャスト物理チャネルの最大送信電力を決定するように構成される、
【数２】
2015513281.tif 000015
請求項７に記載のマクロ基地局。
【請求項９】
ピコ基地局が、前記ピコ基地局のカバレッジ内の複数のＵＥによって報告される測定値を受信し、前記測定値は、前記ピコ基地局によって送信されるリファレンス信号を受信する際の各ＵＥのリファレンス信号受信品質を含み、
前記ピコ基地局によって送信されるリファレンス信号を受信する際の各ＵＥの前記リファレンス信号受信品質に従って、前記ピコ基地局によって送信されるリファレンス信号を受信する前記ＵＥの前記リファレンス信号受信品質の平均値を算出し、
ピコ基地局が、前記リファレンス信号受信品質の前記平均値に従って、前記ＵＥが前記マクロ基地局から強干渉を受けるか否かを決定し、
前記ピコ基地局が、前記ＵＥが前記マクロ基地局から強干渉を受けるか否かを指示する干渉指示情報を前記マクロ基地局に送信し、前記マクロ基地局は、前記干渉指示情報に従って、前記マクロ基地局によって前記ピコ基地局に対して設定されるＡＢＳ（almost blank subframe）におけるユニキャスト物理チャネルの送信電力の調整スキームを決定する、
ことを特徴とするヘテロジニアスネットワークにおける電力適応方法。
【請求項１０】
前記ＵＥが前記マクロ基地局から強干渉を受けるか否かを決定することは、
前記ピコ基地局によって送信されるリファレンス信号を受信する際の前記ＵＥの前記リファレンス信号受信品質の前記平均値が、予め定められた比較係数以上である場合、前記ＵＥが前記マクロ基地局から強干渉を受けると決定する、
ことを含む、請求項９に記載の電力適応方法。
【請求項１１】
前記干渉指示情報は１ビット情報により指示される、請求項９に記載の電力適応方法。
【請求項１２】
前記干渉指示情報はＸ２インタフェースのロード情報メッセージにより前記マクロ基地局に送信される、請求項９又は１１に記載の電力適応方法。
【請求項１３】
マクロ基地局が、ピコ基地局によって送信される干渉指示情報を受信し、前記干渉指示情報は、前記ピコ基地局の複数のＵＥが前記マクロ基地局から強干渉を受けるか否かを指示するために用いられ、
前記マクロ基地局は、前記干渉指示情報に従って、前記マクロ基地局によって前記ピコ基地局に対して設定されるＡＢＳ（almost blank subframe）におけるユニキャスト物理チャネルの送信電力の調整スキームを決定する、
ことを特徴とするヘテロジニアスネットワークにおける電力適応方法。
【請求項１４】
前記干渉指示情報が、前記ＵＥが前記マクロ基地局から強干渉を受けないことを指示する場合、前記マクロ基地局によって前記ピコ基地局に対して設定されるＡＢＳ（almost blank subframe）におけるユニキャスト物理チャネルの送信電力の調整スキームを決定することは、
予め定められた増加ユニキャスト電力タイマーが開始しているか否かを判定し、
前記予め定められた増加ユニキャスト電力タイマーが開始していない場合、前記増加ユニキャスト電力タイマーを開始し、前記ピコ基地局によって送信される前記干渉指示情報の受信を続行し、
前記予め定められた増加ユニキャスト電力タイマーが開始している場合、前記増加ユニキャスト電力タイマーが終了しているか否かを判定し、
前記増加ユニキャスト電力タイマーが終了している場合、前記ユニキャスト物理チャネルの送信電力を増加し、そうでない場合、前記ピコ基地局によって送信される前記干渉指示情報の受信を続行する、
ことを含む、請求項１３に記載の電力適応方法。
【請求項１５】
前記干渉指示情報が、前記ＵＥが前記マクロ基地局から強干渉を受けることを指示する場合、前記マクロ基地局によって前記ピコ基地局に対して設定されるＡＢＳ（almost blank subframe）におけるユニキャスト物理チャネルの送信電力の調整スキームを決定することは、
前記マクロ基地局によって前記ピコ基地局に対して設定される前記ＡＢＳにおける前記ユニキャスト物理チャネルの前記送信電力を低減する必要があるか否かを、予め定められたポリシーに従って決定し、前記決定が肯定の場合、前記マクロ基地局によって前記ピコ基地局に対して設定される前記ＡＢＳにおける前記ユニキャスト物理チャネルの前記送信電力を低減する、
ことを含む、請求項１３に記載の電力適応方法。
【請求項１６】
前記マクロ基地局によって前記ピコ基地局に対して設定される前記ＡＢＳにおける前記ユニキャスト物理チャネルの前記送信電力を低減する必要があるか否かを、予め定められたポリシーに従って決定する前または後に、前記電力適応方法はさらに、
予め定められた増加ユニキャスト電力タイマーが開始している状態であるか否かを判定し、前記判定結果が肯定の場合、前記予め定められた増加ユニキャスト電力タイマーを終了する、
請求項１５に記載の電力適応方法。
【請求項１７】
ピコ基地局のカバレッジ内の複数のＵＥによって報告される測定値を受信するように構成される受信部であって、前記測定値は、前記ピコ基地局によって送信される前記リファレンス信号を受信する際の各ＵＥのリファレンス信号受信品質を含む、受信部と、
前記ピコ基地局によって送信されるリファレンス信号を受信する際の各ＵＥの前記リファレンス信号受信品質に従って、前記ピコ基地局によって送信されるリファレンス信号を受信する際の前記ＵＥの前記リファレンス信号受信品質の平均値を算出するように構成される算出部と、
前記リファレンス信号受信品質の前記平均値に従って、前記ＵＥがマクロ基地局から強干渉を受けるか否かを決定するように構成される決定部と、
前記ＵＥが前記マクロ基地局から強干渉を受けるか否かを指示する干渉指示情報を前記マクロ基地局に送信するように構成される送信部であって、前記マクロ基地局は、前記干渉指示情報に従って、前記マクロ基地局によって前記ピコ基地局に対して設定されるＡＢＳ（almost blank subframe）におけるユニキャスト物理チャネルの送信電力の調整スキームを決定する、送信部と、
を有することを特徴とするピコ基地局。
【請求項１８】
前記決定部は、前記ピコ基地局によって送信されるリファレンス信号を受信する際の前記ＵＥの前記リファレンス信号受信品質の前記平均値が、予め定められた比較係数以上である場合、前記ＵＥが前記マクロ基地局から強干渉を受けると決定するように構成される、
請求項１７に記載のピコ基地局。
【請求項１９】
前記干渉指示情報は１ビット情報により指示される、請求項１７に記載のピコ基地局。
【請求項２０】
前記干渉指示情報はＸ２インタフェースのロード情報メッセージにより前記マクロ基地局に送信される、請求項１７又は１９に記載のピコ基地局。
【請求項２１】
ピコ基地局によって送信される干渉指示情報を受信するように構成される受信部であって、前記干渉指示情報は、前記ピコ基地局の複数のＵＥがマクロ基地局から強干渉を受けるか否かを指示するために用いられる、受信部と、
前記受信部によって受信された前記干渉指示情報に従って、前記マクロ基地局によって前記ピコ基地局に対して設定されるＡＢＳ（almost blank subframe）におけるユニキャスト物理チャネルの送信電力の調整スキームを決定するように構成される決定部と、
を有することを特徴とするマクロ基地局。
【請求項２２】
前記干渉指示情報が、前記ＵＥがマクロ基地局から強干渉を受けないことを指示する場合、前記決定部は、
予め定められた増加ユニキャスト電力タイマーが開始しているか否かを判定するように構成される第１の判定モジュールと、
前記第１の判定モジュールの判定結果が、前記予め定められた増加ユニキャスト電力タイマーが開始していない場合、前記増加ユニキャスト電力タイマーを開始するように構成される開始モジュールと、
前記第１の判定モジュールの判定結果が、前記予め定められた増加ユニキャスト電力タイマーが開始している場合、前記増加ユニキャスト電力タイマーが終了しているか否かを判定するように構成される第２の判定モジュールと、
前記第２の判定モジュールの判定結果が、前記増加ユニキャスト電力タイマーが終了しているという場合、前記マクロ基地局によって前記ピコ基地局に対して設定されるＡＢＳ（almost blank subframe）における前記ユニキャスト物理チャネルの前記送信電力を増加するように構成される第１の調整モジュールと、
を有する、請求項２１に記載のマクロ基地局。
【請求項２３】
前記干渉指示情報が、前記ＵＥが前記マクロ基地局から強干渉を受けることを指示する場合、前記決定部は、
前記マクロ基地局によって前記ピコ基地局に対して設定される前記ＡＢＳにおける前記ユニキャスト物理チャネルの前記送信電力を低減する必要があるか否かを、予め定められたポリシーに従って決定するように構成される決定モジュールと、
前記決定モジュールによって、前記ユニキャスト物理チャネルの前記送信電力を低減する必要があると決定される場合、前記ユニキャスト物理チャネルの前記送信電力を低減するように構成される第２の調整モジュールと、
を有する、請求項２１に記載のマクロ基地局。
【請求項２４】
前記決定部は、
予め定められた増加ユニキャスト電力タイマーが開始している状態であるか否かを判定するように構成される第３の判定モジュールと、
前記第３の判定モジュール１１２７の判定結果が肯定である場合、前記予め定められた増加ユニキャスト電力タイマーを終了するように構成される終了モジュールと、
をさらに有する、請求項２３に記載のマクロ基地局。
【請求項２５】
コンピュータ読み取り可能なプログラムであって、前記プログラムが基地局で実行される場合、前記プログラムは、請求項１〜４および請求項９〜１６のいずれか１項に記載のヘテロジニアスネットワークにおける電力適応方法を前記基地局においてコンピュータに実行させる、コンピュータ読み取り可能なプログラム。
【請求項２６】
請求項１〜４および請求項９〜１６のいずれか１項に記載のヘテロジニアスネットワークにおける電力適応方法を、基地局においてコンピュータに実行させるコンピュータ読み取り可能なプログラムを格納した記憶媒体。
【発明の詳細な説明】
【技術分野】
【０００１】
本発明は、通信分野に関し、具体的には、ヘテロジニアスネットワークにおける電力適応方法および装置に関する。
【背景技術】
【０００２】
３GPP（third generation partnership project）のLTE（long-term evolution）スキームは、六角形状セルラーシステムからなる従来のホモジニアスネットワークに続くものでる。システムの容量をさらに増加するために、ヘテロジニアスネットワークが、次世代無線通信システムのLTE-A（long-term evolution-advanced）スキームに導入される。ヘテロジニアスネットワークでは、LTE-Aシステムは、マクロセル、フェムトセル、ピコセル、リモート無線ヘッド、リレーを有する。新たな無線ノードを配置することによって、システムの容量について改善されるだけでなく、特定の地域のユーザにさらに良いサービスを提供し、システムの能力を最適化する。
【０００３】
しかしながら、図１に示すように、マクロセルとピコセルとが共存するヘテロジニアスシナリオでは、ピコ基地局（pico eNB）がカバレッジ拡張技術を用いる場合、ピコ基地局の下り送信に対してマクロ基地局の下り送信によって、強干渉が引き起こされることになる。現在のところ、マクロ基地局によってピコ基地局（pico UE）のユーザ装置（user equipment: UE）に引き起こされる下り干渉は、マクロ基地局（macro eNB）によってＡＢＳ（almost blank subframe）を設定することによって軽減される。ＡＢＳとは、電力を低減する手法で信号を送信するサブフレームをいう。
【０００４】
本発明を実現するに際して、発明者は、ＡＢＳにおいては、プライマリ同期信号、セカンダリ同期信号、システム情報等の重要なブロードキャスト情報はまだ、カバレッジ目標を達成するように、通常の電力で送信されていることを見出した。電力を低減する必要のある信号は、ＵＥデータを送信するユニキャストチャネルである。しかし、送信データにおいて、ＵＥデータが常に固定電力で送信されると、システムのスループットは最適化されないであろう。このような問題を解決するために電力適応技術に対する要求がある。
【０００５】
上述の背景の説明は、本発明の明瞭で完全な説明のために、かつ当業者による理解を容易にするために、提供されるだけであることに注意されたい。上述の技術的解決策は、本発明の背景に記載されているからといって、当業者に知られていると理解されるべきではない。
【発明の概要】
【発明が解決しようとする課題】
【０００６】
本発明の実施形態の目的は、ヘテロジニアスネットワークにおける電力適応方法及び装置を提供することであり、システムのスループットを最適化し、ピコ基地局のＵＥに対するマクロ基地局の下り送信の干渉を緩和するものである。
【課題を解決するための手段】
【０００７】
本発明の実施形態の一態様によれば、ヘテロジニアスネットワークにおける電力適応方法が提供され、以下を含む。
【０００８】
ピコ基地局が、カバレッジ内の複数のＵＥによって報告される測定値を受信し、測定値は、ピコ基地局によって送信されるリファレンス信号を受信する各ＵＥのリファレンス信号受信電力と、マクロ基地局によって送信されるリファレンス信号を受信する各ＵＥのリファレンス信号受信電力を含み、マクロ基地局は、ピコ基地局をＡＢＳ（almost blank subframe）で設定する、
【０００９】
ピコ基地局が、ピコ基地局によって送信されるリファレンス信号を受信する各ＵＥのリファレンス信号受信電力に従って、ＵＥのデータ受信電力の平均値を算出し、マクロ基地局によって送信されるリファレンス信号を受信する各ＵＥのリファレンス信号受信電力に従って、マクロ基地局によって送信されるリファレンス信号を受信するＵＥのリファレンス信号受信電力の平均値を算出し、
【００１０】
ピコ基地局が、マクロ基地局に、ＵＥのデータ受信電力の平均値と、マクロ基地局によって送信されるリファレンス信号を受信するＵＥのリファレンス信号受信電力の平均値と、を送信する。これにより、マクロ基地局は、マクロ基地局によってピコ基地局に対して設定されるＡＢＳにおけるユニキャスト物理チャネルの送信電力を決定する。
【００１１】
本発明の実施形態の一態様によれば、ヘテロジニアスネットワークにおける電力適応方法が提供され、以下を含む。
【００１２】
マクロ基地局が、ピコ基地局によって送信されるピコ基地局のカバレッジ内の複数のＵＥのデータ受信電力の平均値と、マクロ基地局によって送信されるリファレンス信号を受信するＵＥのリファレンス信号受信電力の平均値と、を受信し、
【００１３】
マクロ基地局によって送信されるリファレンス信号を受信するＵＥのリファレンス信号受信電力の平均値と、マクロ基地局の共通リファレンス信号の送信電力とに従って、マクロ基地局からピコ基地局のエッジＵＥまでの平均パスロスを算出し、
【００１４】
マクロ基地局からピコ基地局のエッジＵＥまでの平均パスロスと、ＵＥのデータ受信電力の平均値とに従って、ピコ基地局に対して設定されるＡＢＳにおけるユニキャスト物理チャネルの送信電力を決定する。
【００１５】
本発明の実施形態の一態様によれば、ピコ基地局が提供され、以下の要素を含む。
【００１６】
ピコ基地局のカバレッジ内の複数のＵＥによって報告される測定値を受信するように構成される受信部であって、測定値は、ピコ基地局によって送信されるリファレンス信号を受信する各ＵＥのリファレンス信号受信電力と、マクロ基地局によって送信されるリファレンス信号を受信する各ＵＥのリファレンス信号受信電力と、を含み、マクロ基地局は、ピコ基地局をＡＢＳで設定する、受信部。
【００１７】
ピコ基地局によって送信されるリファレンス信号を受信する各ＵＥのリファレンス信号受信電力に従って、ＵＥのデータ受信電力の平均値を算出するように構成され、マクロ基地局によって送信されるリファレンス信号を受信する各ＵＥのリファレンス信号受信電力に従って、マクロ基地局によって送信されるリファレンス信号を受信するＵＥのリファレンス信号受信電力の平均値を算出するように構成される、算出部。
【００１８】
ＵＥのデータ受信電力の平均値と、マクロ基地局によって送信されるリファレンス信号を受信するＵＥのリファレンス信号受信電力の平均値と、をマクロ基地局に送信するように構成される送信部であって、これにより、マクロ基地局が、マクロ基地局によってピコ基地局に対して設定されるＡＢＳにおけるユニキャスト物理チャネルの送信電力を決定する、送信部。
【００１９】
本発明の実施形態の一態様によれば、マクロ基地局が提供され、以下の要素を含む。
【００２０】
ピコ基地局によって送信される、ピコ基地局のカバレッジ内の複数のＵＥのデータ受信電力の平均値と、マクロ基地局によって送信されるリファレンス信号を受信するＵＥのリファレンス信号受信電力の平均値と、を受信するように構成される、受信部。
【００２１】
マクロ基地局によって送信されるリファレンス信号を受信するＵＥのリファレンス信号受信電力の平均値と、マクロ基地局の共通リファレンス信号の送信電力とに従って、マクロ基地局からピコ基地局のエッジＵＥまでの平均パスロスを算出するように構成される、算出部。
【００２２】
マクロ基地局からピコ基地局のエッジＵＥまでの平均パスロスと、ＵＥのデータ受信電力の平均値と、に従って、ピコ基地局に対して設定されるＡＢＳにおけるユニキャスト物理チャネルの下り送信電力を決定するように構成される、決定部。
【００２３】
本発明の実施形態の一態様によれば、ヘテロジニアスネットワークにおける電力適応方法が提供され、以下を含む。
【００２４】
ピコ基地局が、カバレッジ内の複数のＵＥによって報告される測定値を受信する。測定値は、ピコ基地局によって送信されるリファレンス信号を受信する各ＵＥのリファレンス信号受信品質を含む。
【００２５】
ピコ基地局によって送信されるリファレンス信号を受信する際の各ＵＥのリファレンス信号受信品質に従って、ピコ基地局によって送信されるリファレンス信号を受信する際のＵＥのリファレンス信号受信品質の平均値を算出する。
【００２６】
ピコ基地局が、リファレンス信号受信品質の平均値に従って、ＵＥがマクロ基地局から強干渉を受けるか否かを決定する。
【００２７】
ピコ基地局がマクロ基地局に、ＵＥがマクロ基地局から強干渉を受けるか否かを指示する干渉指示情報を送信し、これにより、マクロ基地局は、干渉指示情報に従って、マクロ基地局によってピコ基地局に対して設定されるＡＢＳにおけるユニキャスト物理チャネルの送信電力の調整スキームを決定する。
【００２８】
本発明の実施形態の一態様によれば、ヘテロジニアスネットワークにおける電力適応方法が提供され、以下を含む。
【００２９】
マクロ基地局が、ピコ基地局によって送信される干渉指示情報を受信する。干渉指示情報は、ピコ基地局の複数のＵＥがマクロ基地局から強干渉を受けるか否かを指示するために用いられる。
【００３０】
マクロ基地局は、干渉指示情報に従って、マクロ基地局によってピコ基地局に対して設定されるＡＢＳにおけるユニキャスト物理チャネルの送信電力の調整スキームを決定する。
【００３１】
本発明の実施形態の一態様によれば、ピコ基地局が提供され、以下を含む。
【００３２】
ピコ基地局のカバレッジ内の複数のＵＥによって報告される測定値を受信するように構成される受信部であって、測定値は、ピコ基地局によって送信されるリファレンス信号を受信する際の各ＵＥのリファレンス信号受信品質を含む、受信部。
【００３３】
ピコ基地局によって送信されるリファレンス信号を受信する際の各ＵＥのリファレンス信号受信品質に従って、ピコ基地局によって送信されるリファレンス信号を受信する際のＵＥのリファレンス信号受信品質の平均値を算出するように構成される算出部。
【００３４】
リファレンス信号受信品質の平均値に従って、ＵＥがマクロ基地局から強干渉を受けるか否かを決定するように構成される決定部。
【００３５】
ＵＥがマクロ基地局から強干渉を受けるか否かを指示する干渉指示情報をマクロ基地局に送信するように構成される送信部であって、これにより、マクロ基地局は、干渉指示情報に従って、マクロ基地局によってピコ基地局に対して設定されるＡＢＳにおけるユニキャスト物理チャネルの送信電力の調整スキームを決定する、送信部。
【００３６】
本発明の実施形態の一態様によれば、マクロ基地局が提供され、以下を含む。
【００３７】
ピコ基地局によって送信される干渉指示情報を受信するように構成される受信部であって、干渉指示情報は、ピコ基地局の複数のＵＥがマクロ基地局から強干渉を受けるか否かを指示するために用いられる、受信部。
【００３８】
受信部によって受信された干渉指示情報に従って、マクロ基地局によってピコ基地局に対して設定されるＡＢＳにおけるユニキャスト物理チャネルの送信電力の調整スキームを決定するように構成される決定部。
【００３９】
本発明の実施形態の一態様によれば、コンピュータ読み取り可能なプログラムを提供される。このプログラムが基地局で実行される場合、プログラムは基地局において、上述のヘテロジニアスネットワークにおける電力適応方法をコンピュータに実行させる。
【００４０】
本発明の実施形態の一態様によれば、コンピュータ読み取り可能なプログラムを格納した記憶媒体が提供される。このコンピュータ読み取り可能なプログラムは基地局において、ヘテロジニアスネットワークにおける電力適応方法をコンピュータに実行させる。
【発明の効果】
【００４１】
本発明の実施形態の利点は、本発明の実施形態の方法及び装置により、システムのスループットが最適化され、ピコ基地局のＵＥに対するマクロ基地局の下り送信の干渉を緩和することにある。
【００４２】
以下の説明と図面について、本発明の複数の実施形態が詳細に説明され、本発明の原理と使用の態様が示される。本発明の実施形態の範囲はこれらに限定されないことは理解されるべきである。本発明の実施形態は、添付の請求項の記載の精神及び範囲において、多くの代替例、変更例、等価例を含んでいてよい。
【００４３】
一実施形態について記載及び／又は説明された特徴は、１以上の他の実施形態において、及び／又は他の実施形態の特徴と組み合されあるいは他の実施形態の特徴に代わって、同じく又は同様に用いられてよい。
【００４４】
強調されるべきは、用語「含む／含んでいる」は、この明細書で用いられる場合、記載された特徴、全体（integers）、ステップ、あるいは要素の存在を特定するために用いられるが、１以上の他の特徴、全体（integers）、ステップ、要素あるいはこれらの群の存在又は付加を除外するものではない。
【図面の簡単な説明】
【００４５】
本発明の多くの態様は、以下の図面を参照することでよりよく理解されることができる。図面の要素は必ずしも正確にスケールされていない。本発明の原理を明確に説明するように強調されていることもある。本発明の各部分の説明を容易にするために、本図面の対応部分が誇張されあるいは簡略化されているかもしれない。本発明の一図面あるいは実施形態に記載された要素と特徴は、１以上の他の図面あるいは実施形態に記載された要素と特徴と組み合されてもよい。さらに、図面においては、同一の参照番号は、複数の図面を通して対応する要素を指定しており、１以上の実施形態で同一の要素を指定するために用いられていてもよい。
【図１】マクロセルとピコセルとが共存するヘテロジニアスシナリオの概要図である。
【図２】本発明の１実施形態のヘテロジニアスネットワークにおける電力適応方法（ピコ基地局）のフロー図である。
【図３】図２に示す実施形態におけるＵＥのデータ受信電力の平均値を算出するフロー図である。
【図４】本発明の一実施形態のヘテロジニアスネットワークにおける電力適応方法（マクロ基地局）のフロー図である。
【図５】本発明の一実施形態のピコ基地局の構成の概略図である。
【図６】本発明の一実施形態のマクロ基地局の構成の概略図である。
【図７】本発明の他の実施形態のヘテロジニアスネットワークにおける電力適応方法（ピコ基地局）のフロー図である。
【図８】本発明の他の実施形態のヘテロジニアスネットワークにおける電力適応方法（マクロ基地局）のフロー図である。
【図９】図８に示す実施形態におけるユニキャスト物理チャネルの送信電力の調整スキームを決定するフロー図である。
【図１０】本発明の他の実施形態のピコ基地局の構成の概略図である。
【図１１】本発明の他の実施形態のマクロ基地局の構成の概略図である。
【発明を実施するための形態】
【００４６】
以下、本発明の複数の実施形態が図面を参照して説明される。これらの実施形態は単に説明のためだけのものであり、本発明を限定するものではない。当業者が容易に理解し得る本発明の原理と実施の態様について、本発明の実施の態様は、一例としてヘテロジニアスネットワークにおける電力適応方法として説明されるであろう。以下の説明では、ヘテロジニアスネットワークにおけるマクロeNBがマクロ基地局の一例として説明され、ヘテロジニアスネットワークにおけるピコeNBがピコ基地局の一例として説明される。ただし、本発明の実施形態はこれらに限定されるものではなく、電力適応に関する他のシナリオにも適用可能であることに注意されたい。
【００４７】
実施形態１
本発明の１実施形態は、ヘテロジニアスネットワークにおける電力適応方法を提供する。図２は、電力適応方法のフロー図である。図２を参照すると、電力適応方法は以下のステップを含む。
【００４８】
ステップ２０１：ピコ基地局が、ピコ基地局のカバレッジ内の複数のユーザ装置（ＵＥ）によって報告される測定値を受信する。測定値は、ピコ基地局によって送信されるリファレンス信号を受信する各ＵＥのリファレンス信号受信電力（RSRPS）と、マクロ基地局によって送信されるリファレンス信号を受信する各ＵＥのリファレンス信号受信電力（RSRPN）と、を含む。ここでは、マクロ基地局は、ピコ基地局をＡＢＳ（almost blank subframe）で設定している。
【００４９】
この実施形態では、ピコ基地局はまず、カバレッジ内の強干渉を受ける対象となる複数のＵＥに対して測定設定を実行する。これにより、複数のＵＥは、電力測定、測定結果報告等の測定設定に従った対応動作を実行する。
【００５０】
この実施形態では、複数のＵＥ（ピコＵＥ）は、測定設定に従ってサービス基地局の測定値と隣接基地局の測定値を報告する。この実施形態では、測定値は、リファレンス信号受信電力（RSRP）値といわれる。サービス基地局のRSRPは、RSRPSと記載し、サービス基地局によって送信されるリファレンス信号を受信するＵＥのリファレンス信号受信電力をいう。隣接基地局のRSRPは、RSRPNと記載し、隣接基地局によって送信されるリファレンス信号を受信するＵＥのリファレンス信号受信電力をいう。
【００５１】
サービス基地局は、本明細書では、本発明の実施形態のピコ基地局として記載され、隣接基地局は、ピコ基地局に対してＡＢＳ（almost blank subframe）を割り当てるマクロ基地局として記載される。
【００５２】
ピコ基地局に対してＡＢＳ（almost blank subframe）を割り当てるマクロ基地局は、複数あってよい。この実施形態では、一例としてマクロ基地局が一つだけあるとする。ただし、マクロ基地局が複数ある場合、電力適応は、本発明の実施形態の方法又はその変更例に従って行われることができることは理解されるはずである。そのような方法又はその変更例はまた、本発明の保護範囲によってカバーされるものである。
【００５３】
ステップ２０２：ピコ基地局が、ピコ基地局によって送信されるリファレンス信号を受信する各ＵＥのリファレンス信号受信電力（RSRPS）に従ってＵＥのデータ受信電力の平均値を算出し、マクロ基地局によって送信されるリファレンス信号を受信する各ＵＥのリファレンス信号受信電力（RSRPN）に従って、マクロ基地局によって送信されるリファレンス信号を受信するＵＥのデータ受信電力の平均値を算出する。
【００５４】
この実施形態では、カバレッジ内の複数のＵＥによって報告された上述の測定値（RSRPSとRSRPN）をピコ基地局が受信した後、ピコ基地局が、測定値に従って各ＵＥのデータ受信電力の平均値とRSRPNの平均値を算出してもよい。
【００５５】
ステップ２０２では、ＵＥのデータ受信電力の平均値を算出することが、図３に示される方法で実行されてもよい。図３を参照すると、その方法は以下のステップを含む。
【００５６】
ステップ３０１：ピコ基地局によって送信されるリファレンス信号を受信する複数のＵＥのリファレンス信号受信電力（RSRPS）に従って、ピコ基地局によって送信されるリファレンス信号を受信する各ＵＥのリファレンス信号受信電力の平均値を算出する。
【００５７】
ステップ３０１では、RSRPSの平均値を算出することは、複数のＵＥによって報告されるRSRPSを平均することである。例えば、ｎ個のＵＥがRSRPSとRSRPNを報告すると仮定すると、RSRPSの平均値は、次のとおりである。
【００５８】
【数１】
2015513281.tif 000003
【００５９】
ステップ３０２：ピコ基地局によって送信されるリファレンス信号を受信する複数のＵＥのリファレンス信号受信電力の平均値と、ピコ基地局の共通リファレンス信号の送信電力とに従って、複数のＵＥの平均パスロスを算出する。
【００６０】
ステップ３０２では、ピコ基地局それ自体の共通リファレンス信号（CRS）の送信電力は知られており、サービスセル（ピコセル）でのＵＥの平均パスロスは、送信電力からRSRPSの平均値を減算することで取得されてもよい。すなわち、
【００６１】
【数２】
2015513281.tif 000004
【００６２】
ステップ３０３：複数のＵＥの平均パスロスと、複数のＵＥのデータ送信電力の平均値とに従って、複数のＵＥのデータ受信電力の平均値を算出する。
【００６３】
ステップ３０３では、サービスセルでの複数のＵＥのデータ送信電力はピコ基地局に知られており、複数のＵＥのデータ受信電力の平均値は、複数のＵＥのデータ送信電力の平均値からＵＥの平均パスロスを減算することで取得されてよい。すなわち、
【００６４】
【数３】
2015513281.tif 000005
【００６５】
ステップ２０２では、RSRPNの平均値を算出することは、複数のＵＥによって報告されるRSRPNを平均することであり、例えば、ｎ個のＵＥがRSRPSとRSRPNを報告すると仮定すると、RSRPNの平均値は、次のとおりである。
【００６６】
【数４】
2015513281.tif 000006
【００６７】
ステップ２０３では、ピコ基地局が、ＵＥのデータ受信電力の平均値と、マクロ基地局によって送信されるリファレンス信号を受信するＵＥのリファレンス信号受信電力の平均値と、をマクロ基地局に送信する。これにより、マクロ基地局は、マクロ基地局によってピコ基地局に対して設定されるＡＢＳ（almost blank subframe）におけるユニキャスト物理チャネルの送信電力を決定する。
【００６８】
【数５】
2015513281.tif 000007
【００６９】
マクロ基地局によってピコ基地局に対して設定されるＡＢＳにおけるユニキャスト物理チャネルの下り送信電力をマクロ基地局によって決定する方法は、以下の実施形態で説明される。
【００７０】
この実施形態の方法では、ピコ基地局は、カバレッジ内の複数のＵＥによって報告される測定値に従って、複数のＵＥのデータ受信電力の平均値と、マクロ基地局によって送信されるリファレンス信号を受信する複数のＵＥのリファレンス信号受信電力の平均値と、を算出し、これらの平均値をマクロ基地局に送信し、マクロ基地局は、これらの情報に従って、マクロ基地局によってピコ基地局に対して設定されるＡＢＳにおけるユニキャスト物理チャネルの下り送信電力を決定し、これによりピコＵＥへマクロ基地局の下り送信により与えられる干渉を避け、電力適応を達成する。
【００７１】
実施形態２
本発明の１実施形態は、ヘテロジニアスネットワークにおける電力適応方法を提供する。図４は、電力適応方法のフロー図である。図４を参照すると、電力適応方法は以下のステップを含む。
【００７２】
ステップ４０１：マクロ基地局が、ピコ基地局によって送信される、ピコ基地局内のカバレッジ内の複数のＵＥのデータ受信電力の平均値と、マクロ基地局によって送信されるリファレンス信号を受信する複数のＵＥのリファレンス信号受信電力の平均値と、を受信する。
【００７３】
【数６】
2015513281.tif 000008
【００７４】
ステップ４０２：マクロ基地局によって送信されるリファレンス信号を受信するＵＥのリファレンス信号受信電力の平均値と、マクロ基地局の共通リファレンス信号の送信電力と、に従って、マクロ基地局からピコ基地局のエッジＵＥまでの平均パスロスを算出する。
【００７５】
【数７】
2015513281.tif 000009
【００７６】
ステップ４０３：マクロ基地局からピコ基地局のエッジＵＥまでの平均パスロスと、ＵＥのデータ受信電力の平均値とに従って、マクロ基地局によってピコ基地局に対して設定されるＡＢＳにおけるユニキャスト物理チャネルの送信電力を決定する。
【００７７】
ステップ４０３では、マクロ基地局によってピコ基地局に対して設定されるＡＢＳにおけるユニキャスト物理チャネルの最大送信電力が、信号対雑音比の式に従って決定されてもよい。
【００７８】
【数８】
2015513281.tif 000010
【００７９】
この実施形態の方法では、ピコ基地局によって送信されるピコ基地局のカバレッジ内の複数のＵＥのデータ受信電力の平均値と、マクロ基地局によって送信されるリファレンス信号を受信するＵＥのリファレンス信号受信電力の平均値と、を受信した後に、信号対雑音比の式と上述の情報に従って、マクロ基地局が、マクロ基地局によってピコ基地局に対して設定されるＡＢＳにおけるユニキャスト物理チャネルの下り送信電力を決定し、これにより、ピコＵＥに対してマクロ基地局の下り送信によって引き起こされる干渉を避け、電力適応の効果を達成する。
【００８０】
本発明の１実施形態はさらに、以下の実施形態３に記載するように、ピコ基地局を提供する。課題を解決するためのピコ基地局の原理は、実施形態１の方法の原理と同様であるので、実施形態１の実施は、基地局の実施のために参照されてよい。同一の内容は説明されないであろう。
【００８１】
実施形態３
本発明の１実施形態は、ピコ基地局を提供する。図５は、ピコ基地局の構成の概略図である。図５を参照すると、ピコ基地局は、受信部５１、算出部５２、送信部５３含む。
【００８２】
受信部５１は、ピコ基地局のカバレッジ内の複数のＵＥによって報告される測定値を受信するように構成される。測定値は、ピコ基地局によって送信されるリファレンス信号を受信する各ＵＥのリファレンス信号受信電力と、マクロ基地局によって送信されるリファレンス信号を受信する各ＵＥのリファレンス信号受信電力と、を含む。マクロ基地局は、ピコ基地局をＡＢＳで設定する。
【００８３】
算出部５２は、ピコ基地局によって送信されるリファレンス信号を受信する各ＵＥのリファレンス信号受信電力に従って、ＵＥのデータ受信電力の平均値を算出するように構成され、マクロ基地局によって送信されるリファレンス信号を受信する各ＵＥのリファレンス信号受信電力に従って、マクロ基地局によって送信されるリファレンス信号を受信するＵＥのリファレンス信号受信電力の平均値を算出するように構成される。
【００８４】
送信部５３は、ＵＥのデータ受信電力の平均値と、マクロ基地局によって送信されるリファレンス信号を受信するＵＥのリファレンス信号受信電力の平均値と、をマクロ基地局に送信するように構成され、これにより、マクロ基地局が、マクロ基地局によってピコ基地局に対して設定されるＡＢＳにおけるユニキャスト物理チャネルの下り送信電力を決定する。
【００８５】
一実施形態では、算出部５２は、第１の算出モジュール５２１、第２の算出モジュール５２２、第３の算出モジュール５２３を含む。
第１の算出モジュール５２１は、ピコ基地局によって送信されるリファレンス信号を受信する各ＵＥのリファレンス信号受信電力に従って、ピコ基地局によって送信されるリファレンス信号を受信するＵＥのリファレンス信号受信電力の平均値を算出するように構成される。
【００８６】
第２の算出モジュール５２２は、ピコ基地局によって送信されるリファレンス信号を受信する各ＵＥのリファレンス信号受信電力の平均値と、ピコ基地局の共通リファレンス信号の送信電力とに従って、ＵＥの平均パスロスを算出するように構成される。
【００８７】
第３の算出モジュール５２３は、ＵＥの平均パスロスとＵＥのデータ送信電力の平均値に従って、ＵＥのデータ受信電力の平均値を算出するように構成される。
【００８８】
この実施形態のピコ基地局は、ピコ基地局のカバレッジ内の複数のＵＥによって報告される測定値に従って、ＵＥのデータ受信電力の平均値と、マクロ基地局によって送信されるリファレンス信号を受信するＵＥのリファレンス信号受信電力とを算出し、ＵＥのデータ受信電力の平均値と、これらの平均値をマクロ基地局に送信し、マクロ基地局が上記情報に従って、マクロ基地局によってピコ基地局に対して設定されるＡＢＳにおけるユニキャスト物理チャネルの下り送信電力を決定し、これにより、マクロ基地局の下り送信によって引き起こされるピコＵＥに対する干渉を避け、電力適応の効果を達成する。
【００８９】
本発明の実施形態はさらに、以下の実施形態４に記載するように、マクロ基地局を提供する。課題を解決するためのマクロ基地局の原理は、実施形態２の原理と同様であり、実施形態２の実施は、マクロ基地局の実施に参照されてよい。同一の内容は説明されないであろう。
【００９０】
実施形態４
本発明の１実施形態はさらに、マクロ基地局を提供する。図６は、マクロ基地局の構成の概略図である。図６を参照すると、マクロ基地局は、受信部６１、算出部６２、決定部６３を含む。
【００９１】
受信部６１は、ピコ基地局によって送信される、ピコ基地局のカバレッジ内の複数のＵＥのデータ受信電力の平均値と、マクロ基地局によって送信されるリファレンス信号を受信するＵＥのリファレンス信号受信電力の平均値と、を受信するように構成される。
【００９２】
算出部６２は、マクロ基地局によって送信されるリファレンス信号を受信するＵＥのリファレンス信号受信電力の平均値と、マクロ基地局の共通リファレンス信号の送信電力とに従って、マクロ基地局からピコ基地局のエッジＵＥまでの平均パスロスを算出するように構成される。
【００９３】
決定部６３は、マクロ基地局からピコ基地局のエッジＵＥまでの平均パスロスと、ＵＥのデータ受信電力の平均値と、に従って、ピコ基地局に対して設定されるＡＢＳにおけるユニキャスト物理チャネルの下り送信電力を決定するように構成される。
【００９４】
一実施形態では、決定部６３は、次の式に従って、ピコ基地局に対して設定されるＡＢＳにおけるユニキャスト物理チャネルの最大送信電力を決定するように構成される。
【００９５】
【数９】
2015513281.tif 000011
【００９６】
ピコ基地局によって送信されるピコ基地局のカバレッジ内の複数のＵＥのデータ受信電力の平均値と、マクロ基地局によって送信されるリファレンス信号を受信するＵＥのリファレンス信号受信電力の平均値と、を受信した後に、この実施形態のマクロ基地局は、信号対雑音比の式と上述の情報に従って、マクロ基地局によってピコ基地局に対して設定されるＡＢＳにおけるユニキャスト物理チャネルの下り送信電力を決定し、これにより、マクロ基地局の下り送信によって引き起こされるピコＵＥへの干渉を避け、電力適応の効果を達成する。
【００９７】
実施形態５
本発明の実施形態はさらに、ヘテロジニアスネットワークにおける電力適応方法を提供する。図７は、この方法のフロー図である。図７を参照すると、この方法は、以下のステップを含む。
【００９８】
ステップ７０１：ピコ基地局が、カバレッジ内の複数のＵＥによって報告される測定値を受信する。測定値は、ピコ基地局によって送信されるリファレンス信号を受信する際の各ＵＥのリファレンス信号受信品質を含む。
【００９９】
この実施形態では、ピコ基地局はまず、カバレッジ内の強干渉を受ける対象となる複数のＵＥに対して測定設定を実行する。これにより、複数のＵＥは、品質測定、測定結果報告等の測定設定に従った対応動作を実行する。
【０１００】
この実施形態では、複数のＵＥ（ピコＵＥ）は、測定設定に従ってサービス基地局の測定値と隣接基地局の測定値を報告する。この実施形態では、測定値は、リファレンス信号受信品質（RSRQ）といわれる。サービス基地局のRSRQは、RSRQSと記載し、サービス基地局によって送信されるリファレンス信号を受信する際のＵＥのリファレンス信号受信品質をいう。
【０１０１】
サービス基地局は、本明細書では、本発明の実施形態のピコ基地局として言及される。
【０１０２】
ステップ７０２：ピコ基地局が、ピコ基地局によって送信されるリファレンス信号を受信する際の各ＵＥのリファレンス信号受信品質に従って、ピコ基地局によって送信されるリファレンス信号を受信する際のＵＥのリファレンス信号受信品質の平均値を算出する。
【０１０３】
ステップ７０２では、RSRQSの平均値を算出することは、各ＵＥによって報告されるRSRQSを平均することである。例えば、ｎ個のＵＥがRSRQSを報告するとすれば、RSRQSの平均値は次の式で表せる。
【数１０】
2015513281.tif 000012
【０１０４】
ステップ７０３：ピコ基地局が、リファレンス信号受信品質の平均値に従って、ＵＥがマクロ基地局から強干渉を受けるか否かを決定する。
【０１０５】
ステップ７０３では、比較係数α1は、プリセットされていてもよい。リファレンス信号受信品質の平均値は、比較係数と比較され、ＵＥがマクロ基地局から強干渉を受けるか否かが決定される。
【０１０６】
例えば、リファレンス信号受信品質の平均値が比較因子以上であれば、ＵＥはマクロ基地局から強干渉を受けると決定される。
【０１０７】
すなわち、
【数１１】
2015513281.tif 000013
であれば、ＵＥはマクロ基地局から強干渉を受けると決定される。そうでない場合、ＵＥはマクロ基地局から強干渉を受けないと決定される。
【０１０８】
ステップ７０４：ピコ基地局は、ＵＥがマクロ基地局から強干渉を受けるか否かを指示する干渉指示情報を、マクロ基地局に送信する。マクロ基地局は、干渉指示情報に従って、マクロ基地局によってピコ基地局に対して設定されるＡＢＳにおけるユニキャスト物理チャネルの送信電力の調整スキームを決定する。
【０１０９】
ステップ７０４では、ＵＥがマクロ基地局から強干渉を受けるか否かが、ステップ７０３で決定された後、ピコ基地局が、ＵＥがマクロ基地局から強干渉を受けるか否かを指示する干渉指示情報を、マクロ基地局に送信する。マクロ基地局は、干渉指示情報に従って電力調整スキームを決定する。例えば、マクロ基地局によってピコ基地局に対して設定されるＡＢＳにおけるユニキャスト物理チャネルの下り送信電力を低下させるか、又はマクロ基地局によってピコ基地局に対して設定されるＡＢＳにおけるユニキャスト物理チャネルの下り送信電力を増加させるか、又はマクロ基地局によってピコ基地局に対して設定されるＡＢＳにおけるユニキャスト物理チャネルの下り送信電力を変化させずに保持するか、である。この決定の具体的な手法は、以下の実施形態で説明される。
【０１１０】
干渉指示情報は、1ビット情報により示されてもよい。例えば、「０」は、強干渉を受けないことを示し、「１」は、強干渉を受けることを示す。
【０１１１】
干渉指示情報は、Ｘ２インタフェースのロード情報によりマクロ基地局に送信されてもよい。
【０１１２】
この実施形態では、干渉指示情報の指示方法および送信方法は、単なる例示にすぎない。これらの方法に対応する変形例は、当業界の一般的な知識に従って実現されてもよい。
【０１１３】
この実施形態の方法では、ピコ基地局が、カバレッジ内の複数のＵＥによって報告される測定値と、予め設定された比較因子とに従って、複数のＵＥがマクロ基地局から強干渉を受けるか否かを判断し、対応する干渉指示情報をマクロ基地局に送信する。これにより、マクロ基地局は、干渉指示情報に従って、マクロ基地局によってピコ基地局に対して設定されるＡＢＳにおけるユニキャスト物理チャネルの下り送信電力の調整スキームを決定し、これにより、マクロ基地局の下り送信によって引き起こされるピコＵＥへの干渉を避け、電力適応の効果を達成する。
【０１１４】
実施形態６
本発明の実施形態はさらに、ヘテロジニアスネットワークにおける電力適応方法を提供する。図８は、この方法のフロー図である。図８を参照すると、この方法は、以下のステップを含む。
【０１１５】
ステップ８０１：マクロ基地局が、ピコ基地局によって送信される干渉指示情報を受信する。干渉指示情報は、ピコ基地局の複数のＵＥがマクロ基地局から強干渉を受けるか否かを指示するために用いられる。
【０１１６】
ステップ８０２：マクロ基地局が、干渉指示情報に従って、マクロ基地局によってピコ基地局に対して設定されるＡＢＳにおけるユニキャスト物理チャネルの送信電力の調整スキームを決定する。
【０１１７】
一実施形態では、干渉指示情報が、マクロ基地局から強干渉を受けないと指示するものであれば、ステップ８０２は、図９に示す方法で実行されてもよい。図９を参照すると、その方法は、以下のステップを含む。
【０１１８】
ステップ９０１：予め定められた増加ユニキャスト電力タイマーが開始したか否かを判断し、増加ユニキャスト電力タイマーが開始していないのであれば、ステップ９０２が実行される。そうでない場合、ステップ９０３が実行される。
【０１１９】
ステップ９０２：増加ユニキャスト電力タイマーを開始し、ピコ基地局によって送信される干渉指示情報の受信を続行する。
【０１２０】
ステップ９０３：増加ユニキャスト電力タイマーが期間経過したか否かを判定し、増加ユニキャスト電力タイマーが期間経過した場合、ステップ９０４が実行される。そうでない場合、ピコ基地局によって送信される干渉指示情報の受信を続行する。
【０１２１】
ステップ９０４：マクロ基地局によってピコ基地局に対して設定されるＡＢＳにおけるユニキャスト物理チャネルの送信電力を増加する。
【０１２２】
送信電力を増加することは、予め定められたステップで増加するようにしてもよい。他の既知の増加手法を用いてもよい。この実施形態はこれらに限定されない。
【０１２３】
一実施形態では、ステップ８０２で、干渉指示情報がＵＥがマクロ基地局から強干渉を受けることを示す場合、ピコ基地局に対して設定されるＡＢＳにおけるユニキャスト物理チャネルの送信電力を低減することが必要か否かが、予め定められたポリシーに従って決定されてよい。例えば、ユニキャスト物理チャネルの送信電力を低減するか否かは、それ自体のロード情報に従って決定されてよい。そのロードが重くなければ、ユニキャスト物理チャネルの送信電力は低下してもよい。そのロードが非常に重い場合、例えば、予め定めた比率又は値を超えるような場合、ユニキャスト物理チャネルの送信電力は変更せずに保持するようにしてもよい。当然のことながら、ロードに従って、ユニキャスト物理チャネルの送信電力を低減するか否かを決定することは、本発明の実施形態の実施の一手法にすぎない。ある実施においては、複数の調整スキームが予め定められていてもよいが、本発明の実施形態はこれらに限定されない。
【０１２４】
送信電力を低減することは、予め定められたステップで低減するようにしてもよい。他の既知の低減手法を用いてもよい。この実施形態はこれらに限定されない。
【０１２５】
この実施形態では、ピコ基地局の複数のＵＥがマクロ基地局の下り強干渉を受けることを指示する干渉指示情報を受信する場合、増加ユニキャスト電力タイマーが開始している状態であってもよく、予め定められた増加ユニキャスト電力タイマーが開始しているか否かが、この実施形態では判定される必要がある。開始しているのであれば、増加ユニキャスト電力タイマーは終了される。この判断ステップは、上述のユニキャスト物理チャネルの送信電力を低減することが必要か否かを、予め定められたポリシーに従って決定するステップの前に、すなわち、上述の干渉指示情報が受信された後、実行されてもよく、この判断ステップはまた、上述のユニキャスト物理チャネルの送信電力を低減することが必要か否かを、予め定められたポリシーに従って決定するステップの後に実行されてもよい。ただし、本発明の実施形態はこれらに限定されない。
【０１２６】
この実施形態の方法では、マクロ基地局が、ピコ基地局のＵＥがマクロ基地局から下り強干渉を受けるか否かを、ピコ基地局によって送信される干渉指示情報を受信した後、干渉指示情報に従って決定し、これに従って、マクロ基地局によってピコ基地局に対して設定されるＡＢＳにおけるユニキャスト物理チャネルの下り送信電力を調整して、これにより、マクロ基地局の下り送信によって引き起こされるピコＵＥへの干渉を避け、電力適応の効果を達成する。
【０１２７】
本発明の一実施形態はさらに、以下の実施形態７に記載するように、ピコ基地局を提供する。課題を解決するためのピコ基地局の原理は、実施形態５の原理と同様であり、実施形態５の実施は、ピコ基地局の実施に参照されてよい。同一の内容は説明されないであろう。
【０１２８】
実施形態７
本発明の一実施形態はさらに、ピコ基地局を提供する。図１０は、ピコ基地局の構成の概略図である。図１０を参照すると、ピコ基地局は、受信部１０１、算出部１０２、決定部１０３、送信部１０４を含む。
【０１２９】
受信部１０１は、ピコ基地局のカバレッジ内の複数のＵＥによって報告される測定値を受信するように構成される。測定値は、ピコ基地局によって送信されるリファレンス信号を受信する各ＵＥのリファレンス信号受信品質を含む。
【０１３０】
算出部１０２は、ピコ基地局によって送信されるリファレンス信号を受信する各ＵＥのリファレンス信号受信品質に従って、ピコ基地局によって送信されるリファレンス信号を受信する各ＵＥのリファレンス信号受信品質の平均値を算出するように構成される。
【０１３１】
決定部１０３は、リファレンス信号受信品質の平均値に従って、ＵＥがマクロ基地局から強干渉を受けるか否かを決定するように構成される。
【０１３２】
送信部１０４は、ＵＥがマクロ基地局から強干渉を受けるか否かを指示する干渉指示情報をマクロ基地局に送信するように構成され、これにより、マクロ基地局が、マクロ基地局によってピコ基地局に対して設定されるＡＢＳにおけるユニキャスト物理チャネルの送信電力の調整スキームを、干渉指示情報に従って決定する。
【０１３３】
一実施形態では、決定部１０３は、ピコ基地局によって送信されるリファレンス信号を受信するＵＥのリファレンス信号受信品質の平均値が、予め定められた比較因子以上である場合、ＵＥがマクロ基地局から強干渉を受けると決定するように構成される。
【０１３４】
一実施形態では、干渉指示情報は、1ビット情報により示されてもよい。
【０１３５】
一実施形態では、送信部１０４は、Ｘ２インタフェースのロード情報メッセージにより、マクロ基地局に干渉指示情報を送信する。
【０１３６】
この実施形態のピコ基地局は、ピコ基地局のカバレッジ内の複数のＵＥによって報告される測定値と、予め定められた比較因子とに従って、複数のＵＥがマクロ基地局から強干渉を受けるか否かを判定し、対応する干渉指示情報をマクロ基地局に送信し、マクロ基地局が、マクロ基地局によってピコ基地局に対して設定されるＡＢＳにおけるユニキャスト物理チャネルの下り送信電力の調整スキームを、干渉指示情報に従って決定し、これにより、マクロ基地局の下り送信によって引き起こされるピコＵＥへの干渉を避け、電力適応の効果を達成する。
【０１３７】
本発明の一実施形態はさらに、以下の実施形態８に記載するように、マクロ基地局を提供する。課題を解決するためのマクロ基地局の原理は、実施形態６の原理と同様であり、実施形態６の実施は、ピコ基地局の実施に参照されてよい。同一の内容は説明されないであろう。
【０１３８】
実施形態８
本発明の一実施形態はさらに、マクロ基地局を提供する。図１１は、マクロ基地局の構成の概略図である。図１１を参照すると、マクロ基地局は、受信部１１１、決定部１１２を含む。
【０１３９】
受信部１１１は、ピコ基地局によって送信される干渉指示情報を受信するように構成される。干渉指示情報は、ピコ基地局のＵＥがマクロ基地局から強干渉を受けるか否かを指示するために用いられる。
【０１４０】
決定部１１２は、受信部によって受信される干渉指示情報に従って、マクロ基地局によってピコ基地局に対して設定されるＡＢＳにおけるユニキャスト物理チャネルの送信電力の調整スキームを決定するように構成される。
【０１４１】
一実施形態では、干渉指示情報が、ＵＥがマクロ基地局から強干渉を受けないことを指示する場合、決定部１１２は、第１の判定モジュール１１２１、開始モジュール１１２２、第２の判定モジュール１１２３、第１の調整モジュール１１２４を含む。
【０１４２】
第１の判定モジュール１１２１は、増加ユニキャスト電力タイマーが開始しているか否かを判定するように構成される。
【０１４３】
開始モジュール１１２２は、第１の判定モジュール１１２１の判定結果が、予め定められた増加ユニキャスト電力タイマーが開始していないとき、増加ユニキャスト電力タイマーを開始するように構成される。
【０１４４】
第２の判定モジュール１１２３は、第１の判定モジュール１１２１の判定結果が、予め定められた増加ユニキャスト電力タイマーが開始しているという場合、増加ユニキャスト電力タイマーが終了しているか否かを判定するように構成される。
【０１４５】
第１の調整モジュール１１２４は、第２の判定モジュール１１２３の判定結果が、増加ユニキャスト電力タイマーが終了しているという場合、マクロ基地局によってピコ基地局に対して設定されるＡＢＳにおけるユニキャスト物理チャネルの送信電力を増加するように構成される。
【０１４６】
他の実施形態では、干渉指示情報が、ＵＥがマクロ基地局から強干渉を受けることを指示する場合、決定部１１２は、決定モジュール１１２５、第２の調整モジュール１１２６を含む。
【０１４７】
決定モジュール１１２５は、マクロ基地局によってピコ基地局に対して設定されるＡＢＳにおけるユニキャスト物理チャネルの送信電力を低減する必要があるか否かを、予め定められたポリシーに従って決定するように構成される。
【０１４８】
第２の調整モジュール１１２６は、決定モジュール１１２５によって、ユニキャスト物理チャネルの送信電力を低減する必要があると決定される場合、ユニキャスト物理チャネルの送信電力を低減するように構成される。
【０１４９】
この実施形態では、決定部１１２はさらに、第３の判定モジュール１１２７、終了モジュール１１２８を含む。
【０１５０】
第３の判定モジュール１１２７は、予め定められた増加ユニキャスト電力タイマーが開始状態であるか否かを判定するように構成される。
【０１５１】
終了モジュール１１２８は、第３の判定モジュール１１２７の判定結果が肯定（yes）である場合、予め定められた増加ユニキャスト電力タイマーを終了するように構成される。
【０１５２】
この実施形態では、第１の調整モジュール１１２４及び第２の調整モジュール１１２６による、ＡＢＳにおけるユニキャスト物理チャネルの送信電力を調整する手法は、予め定められたステップで行われてもよく、他のポリシーによって行われてもよい。本発明の実施形態はこれらに限定されない。
【０１５３】
この実施形態のマクロ基地局は、ピコ基地局によって送信される干渉指示情報を受信した後、干渉指示情報に従って、ピコ基地局のＵＥがマクロ基地局から下り強干渉を受けるか否かを決定し、これに従って、マクロ基地局によってピコ基地局に対して設定されるＡＢＳにおけるユニキャスト物理チャネルの下り送信電力を調整（増加又は低減）し、これにより、マクロ基地局の下り送信によって引き起こされるピコＵＥへの干渉を避け、電力適応の効果を達成する。
【０１５４】
本発明の一実施形態はさらに、コンピュータ読み取り可能なプログラムを提供する。このプログラムが基地局で実行される場合、プログラムは基地局において、実施形態１、実施形態２、実施形態５又は実施形態６におけるヘテロジニアスネットワークにおける電力適応方法を、コンピュータに実行させる。
【０１５５】
本発明の一実施形態はさらに、コンピュータ読み取り可能なプログラムを格納した記憶媒体を提供する。このコンピュータ読み取り可能なプログラムは基地局において、実施形態１、実施形態２、実施形態５又は実施形態６におけるヘテロジニアスネットワークにおける電力適応方法を、コンピュータに実行させる。
【０１５６】
本発明の上述の装置及び方法は、ハードウェアで実現されても、ソフトウェアと組み合されたハードウェアで実現されてもよい。本発明がコンピュータ読み取り可能なプログラムに関し、プログラムが論理デバイスによって実行されるときは、論理デバイスは上述の装置又は要素を実現することができ、上述の方法又はステップを実行することができる。本発明はまた、上述のプログラムを格納する記憶媒体、例えばハードディスク、フレキシブルディスク、CD、DVD、フラッシュメモリ等、に関する。
【０１５７】
本発明は、いくつかの実施形態を参照して説明されたが、上述の説明は単なる例示であって、本発明の保護範囲を限定することを意図するものではないことは、当業者は理解すべきである。種々の変形や変更は、本発明の精神と原理に従って、当業者によって行われてもよく、このような変形や変更は、本発明の範囲内のものである。
【図２】
2015513281.tif 000016
【図３】
2015513281.tif 000017
【図４】
2015513281.tif 000018
【図５】
2015513281.tif 000019
【図６】
2015513281.tif 000020
【図７】
2015513281.tif 000021
【図８】
2015513281.tif 000022
【図９】
2015513281.tif 000023
【図１０】
2015513281.tif 000024
【図１１】
2015513281.tif 000025
【図１】
2015513281.tif 000026
【国際調査報告】
2015513281.tif 000027
2015513281.tif 000028
2015513281.tif 000029
2015513281.tif 000030
2015513281.tif 000031
2015513281.tif 000032